(57)【要約】【課題】極めて簡単な構造を有しその製造コストが低く、かつ使い方の容易な犬糞回収袋を提供する。【解決手段】柔軟性を有し内面と外面の反転が自在な袋体３０と、その一部をもってその袋体の内面に接着され、かつその袋体の相対する内面上に設けられた２枚の回収板２０ａ、２０ｂとを備えた犬糞回収袋において、その袋体の外面底部Ａを犬糞に被せて、その袋体の内面から回収板の各々を犬糞の両側より摺動させ、その回収板２０ａ、２０ｂの間の袋体の外面底部Ａで形成される空間に犬糞を包持した後、その袋体の内外面を反転させて包持された犬糞をその袋体の内部に取り込む。【選択図】図１
0003124809.tif 000002
【実用新案登録請求の範囲】
【請求項１】
犬糞を回収する犬糞回収袋であって、
柔軟性を有し内面と外面の反転が自在な袋体と、
前記袋体の内面に接着され、かつ前記袋体の内面の相対する位置に設けられた２枚の回収板とを含み、
前記袋体の外面底部を犬糞に被せ、前記回収板の各々を犬糞の両側より摺動させて、前記回収板の間の袋体の外面底部で形成される空間に犬糞を包持した後、前記袋体の内外面を反転させてその包持された犬糞を前記袋体の内部に回収することを特徴とする犬糞回収袋。
【請求項２】
前記回収板は、矩形状であり、前記袋体の開口部近傍の一辺を除く他の外周辺において前記袋体の内面に接着されていることを特徴とする請求項１に記載の犬糞回収袋。
【請求項３】
前記回収板は、矩形状であり、その矩形状の外周辺で前記袋体の内面上に接着されていることを特徴とする請求項１に記載の犬糞回収袋。
【請求項４】
前記回収板は、前記袋体の開口部近傍に頂角を有しかつ底部近傍に底辺を有する三角形状であり、その三角形状の外周辺で前記袋体の内面上に接着されていることを特徴とする請求項１に記載の犬糞回収袋。
【請求項５】
前記回収板は、矩形状であり、前記袋体の開口部近傍の一辺において前記袋体の内面に接着されていることを特徴とする請求項１に記載の犬糞回収袋。
【請求項６】
前記回収板は、その板面上に孔部を設けたことを特徴とする請求項５に記載の犬糞回収袋。
【請求項７】
前記回収板は、前記袋体の開口部近傍に底辺を有しかつ底部近傍に頂角を有する三角形状であり、その三角形状の底辺で前記袋体の内面上に接着されていることを特徴とする請求項１に記載の犬糞回収袋。
【考案の詳細な説明】
【技術分野】
【０００１】
本考案は、例えば、犬などのペットを連れて公園や道路などを散歩する際に、手や衣類を汚すことなくペットからの排泄汚物を手や衣類を汚すことなく容易かつ清潔に回収する犬糞回収袋に関する。特に、大型犬のように、糞の量が多い場合に便利な回収袋に関する。
【背景技術】
【０００２】
犬などのペットを連れて公園や道路等を散歩することは、健康の増進や気分転換、或いはストレス解消などの効果があり広く行われている。また、近年における高齢者人口の増加に伴い、高齢者に適度な運動を与え、かつ痴呆防止に役立つなどの観点からペット同伴の散歩が奨励され、ペットを連れて散歩を楽しむ高齢者の数も増加している。
【０００３】
しかしながら、これらのペットは、その生理的な欲求から散歩の途中において糞の排泄行為を行うことが多く、ペットの飼い主は排泄された犬糞の処理に常に頭を悩ませている。従来、このような犬糞を手や衣服を汚すこと無く清潔かつ容易に回収するため、例えば、特許文献１や特許文献２に記載されるような犬糞回収製品に関する先行技術が開示されている。
【０００４】
図２３は、特許文献１に開示された先行発明を説明する図である。図２３は、取っ手２と切り欠き３を備えた回収袋４０に、指入６と歯８を備えた回収板５とを固着した犬の糞回収袋に関する発明であり、回収板５は、半分に折り曲げた状態で回収袋４０の内部に設けられている。同発明においては、片手で犬の糞を採取できるように回収板５に指入６が設けられており、犬糞を処理する際には回収板５で犬糞を挟み、回収袋４０を裏返して犬糞を収納する構造になっている。
【０００５】
図２４は、特許文献２に開示された先行発明を説明する図である。図２４は、犬糞キャッチ板５ａ及び５ｂを設けた犬糞処理袋に関する発明であり、板５ａ及び５ｂは処理板１３の内側に扉状に取り付けられている。そして、犬糞を処理する際には、板５ａ及び５ｂの開閉動作によって犬糞を挟み、処理板１３の枠内から袋内に犬糞を収納する構造になっている。
【特許文献１】特開２００３−２８９７３９号
【特許文献２】実用新案登録３０５８０５９号
【考案の開示】
【考案が解決しようとする課題】
【０００６】
しかしながら、これらの従来技術による犬糞回収製品は、何れもその構造が複雑で製造コストも高くなりがちであり、使い捨てを前提とする当該製品の性質に鑑みればその普及に問題があった。このため、かかる犬糞回収製品は世間一般で広く用いられず、ペットの飼い主は、相変わらずシャベルや割り箸などを用いて、手や衣服を汚すリスクを冒しながら従来通りの犬糞の回収を行っていた。また、かかる回収処理の手間を嫌う無責任な飼い主によって犬糞の放置も多く発生し、公園や道路における公衆衛生環境の劣化を招いていた。
【課題を解決するための手段】
【０００７】
請求項１に記載の考案は、かかる課題を解決するために為された犬糞回収袋であって、柔軟性を有し内面と外面の反転が自在な袋体と、その一部をもってその袋体の内面に接着され、かつ袋体の相対する内面上に設けられた２枚の回収板とを含み、袋体の外面底部を犬糞に被せ、回収板の各々を犬糞の両側より摺動させて、その回収板の間の袋体の外面底部で形成される空間に犬糞を包持した後、袋体の内外面を反転させてその包持された犬糞を袋体の内部に回収することを特徴とする。
【０００８】
また、請求項２にかかる考案は、請求項１記載の考案において回収板を矩形状として、その矩形状の袋体開口部近傍の一辺を除く他の外周辺で回収板が袋体の内面上に接着されていることを特徴とする。
【０００９】
また、請求項３にかかる考案は、請求項１記載の考案において回収板を矩形状として、その矩形状の外周辺で回収板が袋体の内面上に接着されていることを特徴とする。
【００１０】
また、請求項４にかかる考案は、請求項１記載の考案において回収板を袋体の開口部近傍に頂角を有しかつ底部近傍に底辺を有する三角形状として、その三角形状の外周辺で回収板が袋体の内面上に接着されていることを特徴とする。
【００１１】
また、請求項５にかかる考案は、請求項１記載の考案において回収板を矩形状として、その矩形状の袋体開口部近傍の一辺で回収板が袋体の内面上に接着されていることを特徴とする。
【００１２】
また、請求項６にかかる考案は、請求項５記載の考案において回収板に孔部を設けたことを特徴とする。
【００１３】
また、請求項７にかかる考案は、請求項１記載の考案において回収板を袋体の開口部近傍に底辺を有しかつ底部近傍に頂角を有する三角形状として、その三角形状の底辺で回収板が袋体の内面上に接着されていることを特徴とする。
【考案の効果】
【００１４】
請求項１に記載の考案による犬糞回収袋は、従来の犬糞回収製品に比べて極めて簡単な構造を有するので、製造時における製品コストを低減させることが可能となり、ペットの飼い主に犬糞回収袋を安価・大量に提供することができる。これによって、飼い主による犬糞の放置やポイ捨てが減少し、公衆衛生環境や社会モラルの向上を図ることが可能となる。また、犬糞を回収する際に回収板によって路上の犬糞を掻き取る構造となっているので、犬糞の温もりや嫌な手触りを肌に直接に感じることはなく、犬糞回収時における嫌悪感を和らげることができる。
【００１５】
また、請求項２記載の考案による犬糞回収袋は、請求項１記載の犬糞回収袋において回収板の形状を矩形状として、その矩形状の袋体開口部近傍の一辺を除く他の外周辺で回収板が袋体の内面上に接着されているので、袋体と回収板とによって形成されるポケット部に手を入れて回収板を握持することにより、犬糞回収時における回収板の保持が確実となる。
【００１６】
また、請求項３記載の考案による犬糞回収袋は、請求項１記載の犬糞回収袋において回収板の形状を普遍的な矩形状としているので、本犬糞回収袋特有の回収板を作るまでもなく、例えば、ダンボールや厚紙の余材などの有り合せの材料を用いて、極めて容易に犬糞回収袋を作ることができる。
【００１７】
また、請求項４記載の考案による犬糞回収袋は、請求項１記載の犬糞回収袋において、回収板の形状を袋体の開口部近傍に頂角を有しかつ底部近傍に底辺を有する三角形状としているので、かかる頂角部分を掴むことによって回収板の保持が容易になる。
【００１８】
また請求項５記載の考案による犬糞回収袋では、請求項１記載の犬糞回収袋において回収板を矩形状として、その矩形状の袋体開口部近傍の一辺のみで回収板が袋体の内面上に接着されているので、製造工程において回収板を袋体に接着する際の作業を簡素化することが可能となり製品コストを引き下げることができる。
【００１９】
また請求項６記載の考案による犬糞回収袋では、請求項５記載の考案において回収板の板面に孔部を設けているので、かかる孔部に指を入れて回収板を握持することにより犬糞回収時における回収板の保持が確実となる。
【００２０】
また請求項７にかかる考案は、請求項１記載の考案において、回収板を袋体の開口部近傍に底辺を有しかつ底部近傍に頂角を有する三角形状とし、その三角形状の底辺のみで回収板が袋体の内面上に接着されているので、その製造工程を簡略化できると共に、犬糞回収時にかかる頂角部分を掴むことによって回収板を容易に保持することができる。
【考案を実施するための最良の形態】
【００２１】
実施例１．
以下に、添付図面を参照しつつ、本考案の一つの実施形態である犬糞回収袋の実施例１について説明する。
【００２２】
先ず、本実施例１による犬糞回収袋の斜視図を図１に、畳んだ場合の袋の側面図を図２に、袋を広げてその開口部から袋の内部を覗いたときの平面図を図３に示す。
次に、図１乃至図３の各図を用いて、本実施例に基づく犬糞回収袋の各構成部位を説明する。
袋体３０は、コンビニエンス・ストアやスーパー等で買った品物を入れるポリエチレンやビニール等で作られた柔軟性を有するいわゆるポリ袋である。袋体３０は、その柔軟性故に、図２に示すように一枚のシートのように折り畳むことも可能であり、また図３に示すように、その開口部を大きく広げて内容積の大きなポリ袋として使用することもできる。
【００２３】
さらに、柔軟性の高い袋体３０は、袋の内面と外面とを極めて容易に反転させることができる。なお、本実施例の袋体３０には、その持ち運びを容易とする手提げ部３１が設けられているが、同部位は本考案の必須構成要件ではなく、かかる部位を設けない構成であっても良い。
【００２４】
回収板２０ａ及び２０ｂは、例えば、厚紙やダンボール材で作られた矩形の板状体であり、それぞれの回収板は、袋体３０の開口部近傍の一辺を除く他の外周部位２１ａ或いは２１ｂで袋体３０の内面上に接着剤等によって接着されている。
【００２５】
したがって、袋体３０と回収板２０ａ、２０ｂの各々との間には、袋体３０の開口部方向に開いたポケット部２３ａ、及び２３ｂが形成される。本実施例では、かかるポケット部に１乃至４本の指を入れて回収板を掴むことにより回収板が固定されて路上から犬糞を確実に掻き取ることができる。
なお、回収板２０ａ、２０ｂの材質は、かかる材質に限定されるものではなく、例えば、プラスチック等の薄板で形成しても良い。或いは地球環境の保全を考慮して、例えば、生分解性プラスチックなどの環境保護に適した材質で形成するようにしても良い。
【００２６】
次に、本実施例による犬糞回収袋の使用方法を図４乃至図７に基づいて説明する。
散歩中の犬が脱糞した場合、飼い主は、先ず、図４に示すように袋体３０を広げて、両手の複数の指をポケット部２３ａ、及び２３ｂの中に入れる。同図では、人差し指から小指までの４本の指を各々のポケット部の中に入れ、ポケット部の外側から親指で回収板を保持する例が示されているが、ポケット部に入れる指の数や種類は、かかる事例に限定されるものでないことは言うまでもない。
飼い主は、このようにして回収板２０ａ、２０ｂのそれぞれをしっかりと掴んだ後、図４のａ−ａ’矢視方向の断面図（図５）に示す如く、袋体３０の底部（図４のＡ部）を犬糞の上に覆い被せる。
【００２７】
続いて、飼い主は、回収板２０ａ、２０ｂの端部２４ａ及び２４ｂを路面に押し付け、その端部２４ａ、２４ｂを図５中の矢印に示すように犬糞の両側から路面上を摺動させて犬糞を路上から剥ぎ取る。これによって、図６に示す如く路上の犬糞は、回収板２０ａ及び２０ｂの間の袋体３０の外面底部Ａで形成される空間に包持されることになる。
【００２８】
飼い主は、犬糞が確実に袋体３０の外面底部Ａと回収板２０ａ及び２０ｂとの間に包持されたことを確認した後、回収板を掴んでいる両手首を返して袋体３０の内面と外面とを反転させる。
【００２９】
袋体３０を反転させた後、手提げ部３１を掴んで袋体３０を持ち上げると、図７に示すように、袋体３０の内部に回収された犬糞の自重によって袋体３０の全体が伸張され、犬糞は袋体３０の内面（従来の外面）の底部に収納される。
【００３０】
以上に説明した一連の動作によって、袋体３０の内面が新たな外面となり、逆に、袋体３０の従来の外面が新たな内面となる。これによって、袋体３０の従来の外面底部Ａ内に包持されていた犬糞は、極めてスムーズに袋体３０の反転後の内部に収納される。そして、袋体３０の内面に接着されていた回収板２０ａ、２０ｂの各々は、図７に示すように袋体３０の新たな外面に現れることになる。回収板２０ａ、２０ｂの外面には絵等を書いておくことにより、バッグの表面を飾ることが出来、このバッグを持って歩くのが楽しくなる。
さらに、この回収板２０ａ、２０ｂは袋体３０との間にポケット部２３ａ、及び２３ｂが形成されるので、このポケットにチッシュペーパ等を入れておくことが出来る。
【００３１】
なお、袋体３０の内面に取り付けられた回収板２０ａ及び２０ｂの各々は、袋体３０の外面底部Ａに位置する犬糞を袋体３０のポリ袋膜を介して掻き取るので、回収板が直接に犬糞に触れることはない。したがって、犬糞の回収処理後に回収板が袋体３０の外面に現れても、これによって飼い主の手や衣服を汚すことはない。
【００３２】
以上に説明した犬糞の回収動作を終了した後、袋体３０の手提げ部３１で袋体３０の開口部を縛れば、袋体３０からの犬糞の匂いの漏出を防ぐことができ、飼い主はペットを連れた快適な散歩を継続して行うことができる。なお、本発明は、特に、大型犬のような糞の量が多い回収袋に使用すると好適である。また、本発明は、犬のみでなく、馬、牛等の糞回収袋として使用出来ることはいうまでもない。
【００３３】
実施例２．
次に、本考案による犬糞回収袋の実施例２について説明する。
先ず、本実施例２による犬糞回収袋の斜視図を図８に、畳んだ場合の袋の側面図を図９に、袋を広げてその開口部からその内部を覗いたときの平面図を図１０に示す。
次に、図８乃至図１０の各図を用いて、本実施例に基づく犬糞回収袋の各構成部位を説明する。
袋体３０は、コンビニエンス・ストアやスーパー等で買った品物を入れるポリエチレンやビニール等で作られた柔軟性を有するいわゆるポリ袋である。袋体３０は、その柔軟性故に、図９に示すように一枚のシートのように折り畳むことも可能であり、また図１０に示すように、その開口部を大きく広げて内容積の大きなポリ袋として使用することもできる。
【００３４】
さらに、柔軟性の高い袋体３０は、袋の内面と外面とを極めて容易に反転させることができる。なお、本実施例の袋体３０には、その持ち運びを容易とする手提げ部３１が設けられているが、同部位は本考案の必須構成要件ではなく、かかる部位を設けない構成であっても良い。
【００３５】
回収板２０ａ及び２０ｂは、例えば、厚紙やダンボール材で作られた板状体であって、同板状体の外周部位２１ａ或いは２１ｂが袋体３０の内面上に接着剤等により接着されている。なお、回収板２０ａ、２０ｂの材質は、かかる材質に限定されるものではなく、例えば、プラスチック等の薄板で形成しても良い。或いは、地球環境の保全を考慮して、例えば、生分解性プラスチックなどの環境保護に適した材質で形成するようにしても良い。
【００３６】
なお、回収板２０ａ、２０ｂは、その外周部の接着部位２１ａ若しくは２１ｂで柔軟性の高い袋体３０の内面に接着されているので、袋体３０のポリ袋膜と共に握持することができる。
【００３７】
次に、本実施例による犬糞回収袋の使用方法を図１１乃至図１４に基づいて説明する。
散歩中の犬が脱糞した場合、飼い主は、先ず、図１１に示すように袋体３０を広げて両手を袋体３０の中に入れて、袋体３０のポリ袋膜と共に回収板２０ａ及び２０ｂの各々を掴む。
しかる後に、図１１のａ−ａ’矢視方向の断面を示す図１２のように、飼い主は、袋体３０の底部（図１１のＡ部）を犬糞の上に覆い被せる。
【００３８】
続いて、飼い主は、回収板２０ａ、２０ｂの端部２４ａ及び２４ｂを路面に押し付け、その端部２４ａ、２４ｂを図１２の矢印に示すように犬糞の両側から路面上を摺動させて犬糞を路上から剥ぎ取る。これによって、図１３に示す如く路上の犬糞は、回収板２０ａ及び２０ｂの間の袋体３０の外面底部Ａで形成される空間に包持されることになる。
【００３９】
飼い主は、犬糞が確実に袋体３０の外面底部Ａと回収板２０ａ及び２０ｂとの間に包持されたことを確認した後、回収板を掴んでいる両手首を返して袋体３０の内面と外面とを反転させる。
【００４０】
袋体３０を反転させた後、手提げ部３１を掴んで袋体３０を持ち上げると、図１４に示すように、袋体３０の内部に回収された犬糞の自重によって袋体３０の全体が伸張され、犬糞は袋体３０の内面（従来の外面）の底部に収納される。
【００４１】
以上に説明した一連の動作によって、袋体３０の内面が新たな外面となり、逆に、袋体３０の従来からの外面が新たな内面となる。これによって、袋体３０の外面底部Ａ内に包持されていた犬糞は、極めてスムーズに袋体３０の反転後の内部に収納される。そして、袋体３０の内面に接着された回収板２０ａ、２０ｂの各々は、図１４に示すように袋体３０の新たな外面に現れることになる。
【００４２】
なお、袋体３０の内面に取り付けられた回収板２０ａ及び２０ｂの各々は、袋体３０の外面底部Ａに位置する犬糞を袋体３０のポリ袋膜を介して掻き取るので、回収板が直接に犬糞に触れてはいない。したがって、犬糞の回収処理後に回収板が袋体３０の新たな外面に現れても、これによって飼い主の手や衣服を汚すことはない。
【００４３】
以上に説明した犬糞の回収動作を終了した後、袋体３０の手提げ部３１で袋体３０の開口部を縛れば、袋体３０からの犬糞の匂いの漏出を防ぐことができ、飼い主はペットを連れた快適な散歩を継続して行うことができる。なお、本発明は、特に、大型犬のような糞の量が多い回収袋に使用すると好適である。また、本発明は、犬のみでなく、馬、牛等の糞回収袋として使用出来ることはいうまでもない。
【００４４】
実施例３．
次に、本考案による犬糞回収袋の実施例３について説明する。
本実施例３による犬糞回収袋では、図１５の説明図に示すように、回収板２０ａ、２０ｂの形状を袋体３０の開口部近傍に頂角を有し、かつ底部近傍に底辺を有する三角形状にとしている。
【００４５】
一般に、単なる平面板の一辺を掴むよりも、例えば、三角形状板の一つの頂角を掴むほうが遥かに容易である。したがって、犬糞回収時に回収板２０ａ、２０ｂのかかる三角形状の頂角を掴むことによって回収板の保持が容易となる。
なお、本実施例における他の構成部位や、その作用等に関しては、前述した実施例２の場合と同様であるためその説明を省略する。
【００４６】
実施例４．
次に、本考案による犬糞回収袋の実施例４について、図１６乃至図２０に基づいて説明する。
本実施例４にかかる犬糞回収袋では、図１６の説明図に示すように、回収板２０ａ、２０ｂは、袋体３０の開口部近傍の一辺の接着部位２１ａ若しくは２１ｂで袋体３０の内面に接着されているのみであり、回収板のその他の３辺は袋体３０の内壁から剥離している。
【００４７】
したがって、図１６のａ−ａ’矢視方向の断面を示す模式図１７に示される如く、回収板２０ａ及び２０ｂは、接着部位２１ａ若しくは２１ｂを支軸として袋体３０の内面にぶら下がった状態となっており、あたかも扉の開閉動作の如く、図１７中に示される矢印の方向に自在に回動させることができる。
本実施例４による犬糞回収袋では、その製造工程において回収板を袋体に接着する際の作業工程が、回収板の外周全てを接着する場合の１／４で済むので、犬糞回収袋の製品コストを更に引き下げることができる。
【００４８】
次に、本実施例４による犬糞回収袋の使用方法を図１８及び図１９に基づいて説明する。
飼い主は、先ず、図１８に示すように袋体３０を広げて両手を袋体３０の中に入れ、回収板２０ａ及び２０ｂが袋体３０の内面に接着されていない可動部分２５ａ及び２５ｂを掴み、これを上方向に引き上げる。しかる後に飼い主は、回収板２０ａ、２０ｂ各々の可動端部２５ａ及び２５ｂを掴んで、袋体３０の底部（図１６のＡ部）を犬糞の上に覆い被せる。
【００４９】
続いて、図１９に示すように、飼い主は回収板２０ａ、２０ｂの可動端部２５ａ及び２５ｂを掴んで、端部２４ａ及び２４ｂを路面に押し付け、その端部２４ａ、２４ｂを図中の矢印に示すように犬糞の両側から路面上を摺動させて犬糞を路上から剥ぎ取る。これによって、前述した各実施例の場合と同様に路上の犬糞は、袋体３０の外面底部Ａと、回収板２０ａ及び２０ｂの間の袋体３０の外面底部Ａで形成される空間に包持される。
【００５０】
飼い主は、犬糞が確実に袋体３０の外面底部Ａで形成される空間内に包持されたことを確認すると、回収板を掴んでいる両手首を返して袋体３０の内面と外面とを反転させる。
【００５１】
袋体３０を反転させた後、両手で回収板を持ち上げるようにすると、袋体３０の内部に回収された犬糞の自重によって袋体３０の全体が伸張され、図２０に示すように、犬糞は袋体３０の内面（従来の外面）の底部に収納される。
【００５２】
実施例５．
次に、本考案による犬糞回収袋の実施例５について説明する。
本実施例５による犬糞回収袋では、図２１の説明図に示すように、前述した実施例４の回収板２０ａ及び２０ｂの板面上に指入れ孔部２２ａ及び２２ｂを設けたものである。
回収板の摺動時にかかる指入れ孔部に指を入れて回収板を保持することによって、回収板が堅固に保持されるため路上の犬糞を確実に拾得することができる。
なお、本実施例５の作用等に関しては、前述した実施例４の場合と同様であるのでその説明を省略する。
【００５３】
実施例６．
次に、本考案による犬糞回収袋の実施例６について説明する。
本実施例による犬糞回収袋では、図２２の説明図に示すように、回収板２０ａ及び２０ｂの形状を、袋体３０の開口部近傍に底辺を有しかつ袋体３０の底部に向かって頂角を有する三角形状としている。
本実施例６は、実施例４の場合と同様に、三角形状の回収板の頂角部分を可動端部２５ａ及び２５ｂとしたものである。このように、三角形の頂角部分を可動部とすることによって犬糞回収板２０ａ、２０ｂが掴み易くなる。
なお、本実施例の作用等に関しては、前述した第４の実施例の場合と同様であるのでその説明を省略する。
【産業上の利用可能性】
【００５４】
本発明は、犬などのペットを連れて公園や道路などを散歩する際に、手や衣類を汚すことなくペットからの排泄汚物を容易かつ清潔に回収する犬糞回収袋として用いられる。
【図面の簡単な説明】
【００５５】
【図１】本考案の実施例１による犬糞回収袋の概要を示す斜視図である。
【図２】本考案の実施例１による犬糞回収袋を畳んだ場合の側面図である。
【図３】本考案の実施例１による犬糞回収袋を広げた場合の開口部から見た平面図である。
【図４】本考案の実施例１による犬糞回収袋を使用する場合の第１の説明図である。
【図５】本考案の実施例１による犬糞回収袋を使用する場合の第２の説明図である。
【図６】本考案の実施例１による犬糞回収袋を使用する場合の第３の説明図である。
【図７】本考案の実施例１による犬糞回収袋で犬糞を回収した時点における袋の斜視図である。
【図８】本考案の実施例２による犬糞回収袋の概要を示す斜視図である。
【図９】本考案の実施例２による犬糞回収袋を畳んだ場合の側面図である。
【図１０】本考案の実施例２による犬糞回収袋を広げた場合の開口部から見た平面図である。
【図１１】本考案の実施例２による犬糞回収袋を使用する場合の第１の説明図である。
【図１２】本考案の実施例２による犬糞回収袋を使用する場合の第２の説明図である。
【図１３】本考案の実施例２による犬糞回収袋を使用する場合の第３の説明図である。
【図１４】本考案の実施例２による犬糞回収袋で犬糞を回収した時点における袋の斜視図である。
【図１５】本考案の実施例３による犬糞回収袋を広げた場合の開口部から見た平面図である。
【図１６】本考案の実施例４による犬糞回収袋を広げた場合の開口部から見た平面図である。
【図１７】本考案の実施例４による犬糞回収袋の断面模式図である。
【図１８】本考案の実施例４による犬糞回収袋を使用する場合の第１の説明図である。
【図１９】本考案の実施例４による犬糞回収袋を使用する場合の第２の説明図である。
【図２０】本考案の実施例４による犬糞回収袋で犬糞を回収した時点における袋の斜視図である。
【図２１】本考案の実施例５による犬糞回収袋を広げた場合の開口部から見た平面図である。
【図２２】本考案の実施例６による犬糞回収袋を広げた場合の開口部から見た平面図である。
【図２３】従来の犬糞回収袋を示す図である。
【図２４】従来の他の犬糞回収袋を示す図である。
【符号の説明】
【００５６】
３０…袋体
３１…手提げ部
２０ａ、２０ｂ…回収板
２１ａ、２１ｂ…回収板接着部
２２ａ、２２ｂ…指入れ孔部
２３ａ、２３ｂ…ポケット部
２４ａ、２４ｂ…回収板先端部
２５ａ、２５ｂ…回収板可動端部
【図１】
0003124809.tif 000003
【図２】
0003124809.tif 000004
【図３】
0003124809.tif 000005
【図４】
0003124809.tif 000006
【図５】
0003124809.tif 000007
【図６】
0003124809.tif 000008
【図７】
0003124809.tif 000009
【図８】
0003124809.tif 000010
【図９】
0003124809.tif 000011
【図１０】
0003124809.tif 000012
【図１１】
0003124809.tif 000013
【図１２】
0003124809.tif 000014
【図１３】
0003124809.tif 000015
【図１４】
0003124809.tif 000016
【図１５】
0003124809.tif 000017
【図１６】
0003124809.tif 000018
【図１７】
0003124809.tif 000019
【図１８】
0003124809.tif 000020
【図１９】
0003124809.tif 000021
【図２０】
0003124809.tif 000022
【図２１】
0003124809.tif 000023
【図２２】
0003124809.tif 000024
【図２３】
0003124809.tif 000025
【図２４】
0003124809.tif 000026